(57)【要約】      （修正有）【課題】商品をスムーズに排出できる商品販売機を提供する。【解決手段】本体１０内に槽体２０が設けられ、槽体２０内に回転盤３０が設けられて構成され、本体１０の商品収容室内１２には少なくとも第１の隔板５０と第２の隔板６０とが設けられ、第１の隔板５０は、可動軸によって商品収容室１２の一方の内側壁の適当な高さの位置に設けられ、第１の隔板５０は動力機構９０によって駆動されて上下に揺動する。第２の隔板６０は、商品収容室１２の他方の内側壁の適当な高さの位置に下向きに傾斜した状態で固定され、第１の隔板５０とは離れて設置され、お互いの高さは変えてある。以上の構造によって、商品収容室１２内に投入した全ての商品の重量は直接回転盤３０上に加わらず、連動部品８０を介して動力部品９０が第１の隔板５０を揺動して商品をスムーズに排出する。【選択図】  図５
0003114722.tif 000002
【実用新案登録請求の範囲】
【請求項１】
本体内に商品を受ける槽体が設けられると共に、該槽体内に回転盤が設けられて構成されており、
前記本体は、下方に商品取出口が設けられ、本体上方には商品収容室が形成されており、
前記槽体は、本体の商品収容室下方に設けられ、槽体底部には商品落下口が設けられ、前記商品落下口の下方には商品落下通路が接続され、商品落下通路の他端は本体の商品取出口と接続されており、
前記回転盤は、槽体内に設けられ、回転盤の中央には凸部が形成され、凸部上端には数本の回転ロッドが設けられ、回転盤上にはさらに商品が落下する商品収容孔が数個設けられ、回転盤がモーターによって駆動されて槽体内で回転する商品販売機において、
前記本体の商品収容室内には少なくとも第１の隔板と第２の隔板とが設けられており、
前記第１の隔板は、可動軸によって商品収容室の一方の内側壁の適当な高さの位置に設けられ、第１の隔板は動力機構によって駆動されて上下に揺動し、
前記第２の隔板は、商品収容室の他方の内側壁の適当な高さの位置に下向きに傾斜した状態で固定され、前記第１の隔板とは離れて設置され、お互いの高さは異なっていることを特徴とする商品販売機。
【請求項２】
前記回転盤の上方に第３の隔板が設けられ、前記第３の隔板は略直角三角形を呈しており、下向きに傾斜した状態で回転盤の上方の槽体上縁に設けられ、第３の隔板は回転盤の一部分を覆っており、少なくとも槽体底部に設けられた商品落下口上方を覆っていることを特徴とする請求項１記載の商品販売機。
【考案の詳細な説明】
【技術分野】
【０００１】
本考案は商品販売機の構造改良に関し、特に商品をスムーズに排出できる商品販売機の構造に関する。
【背景技術】
【０００２】
図１は体積が小さい商品や不規則な形状の商品の販売に使用される販売機であって、販売する商品をスムーズに排出するために、商品は卵型や球形のカプセルで包装され、販売機内に入れられて販売される。
【０００３】
図１、２に示すように、上述の従来技術による販売機の構造は、本体１０内に商品を受ける槽体２０が設けられ、槽体２０内に回転盤３０が設けられて構成されている。
【０００４】
本体１０は、下方に商品取出口１１が設けられ、本体１０上方には商品収容室１２が形成されており、商品収容室１２の上方には蓋体１３が設けられている。
【０００５】
槽体２０は、本体１０の商品収容室１２下方に設けられ、槽体底部には商品落下口２１が設けられ、商品落下口２１の下方には商品落下通路２２が接続され、商品落下通路２２の他端は本体１０の商品取出口１１と接続されている。
【０００６】
回転盤３０は、槽体２０内に設けられ、回転盤３０の中央には凸部３１（図４）が形成され、凸部３１上端には数本の弾力性のある回転ロッド３２が設けられ、回転盤３０上面にはさらに商品が落下する商品収容孔３３が数個設けられ、回転盤３０はモーター３４によって駆動されて槽体２０内で回転する。
【０００７】
上述の構造によって、従来技術による販売機が販売する商品４０は、蓋体１３を開けて商品収容室１２内に投入されて販売される。消費者はコインを投入して商品４０を購入するとき、回転盤３０がモーター３４によって駆動されて槽体２０内で回転し、回転盤３０上に設けられた回転ロッド３２も同時に回転する。それによって動かされた商品４０は回転盤３０の商品収容孔３３内に落下し、商品収容孔３３内に落下した商品４０は回転盤３０に動かされて移動し、槽体２０底面に設けられた商品落下口２１から落下し、商品落下通路２２を通って商品取出口１１まで滑り落ちる。そして消費者は商品取出口１１から購入した商品を手にすることができる。
【０００８】
上述の従来技術による販売機は、このようにして商品４０の自動販売を行うことができるが、回転盤３０が商品収容室１２の真下に設けられているので、商品４０の重量は直接回転盤３０上に加わり、仮に一度に多くの商品４０を投入したとき、モーター３４に回転盤３０を駆動するための大きな負荷が掛かり、モーター３４が過熱により破損したり、回転盤３０がスムーズに回転しなくなり、商品４０をスムーズに排出して販売することができなくなる。上述の問題を解決するために、現在業者が行っている手段は、一度に多くの商品４０を入れないという非常に消極的な手段であり、この手段のために頻繁に商品４０を補充する必要が生じ、極めて不便である。
【特許文献１】特許３４９２３５４号
【考案の開示】
【考案が解決しようとする課題】
【０００９】
本考案の目的は、上述の従来技術による販売機が有する欠点を改善した、商品をスムーズに排出できる販売機の構造を提供することにある。
【課題を解決するための手段】
【００１０】
上記課題を解決するために、請求項１の考案は、主に、本体内に槽体が設けられ、槽体内に回転盤が設けられて構成されており、本体は、下方に商品取出口が設けられ、本体上方には商品収容室が形成されており、槽体は、本体の商品収容室下方に設けられ、槽体底部には商品落下口が設けられ、商品落下口の下方には商品落下通路が接続され、商品落下通路の他端は本体の商品取出口と接続されており、回転盤は、槽体内に設けられ、回転盤の中央には凸部が形成され、凸部上端には若干の回転ロッドが設けられ、回転盤上にはさらに商品が落下する商品収容孔が若干設けられ、回転盤はモーターによって駆動されて槽体内で回転する商品販売機において、本体の商品収容室内には少なくとも第１の隔板と第２の隔板とが設けられており、第１の隔板は、可動軸によって商品収容室の一方の内側壁の適当な高度の位置に設けられ、第１の隔板は動力部品によって駆動されて上下に揺動し、第２の隔板は、商品収容室の他方の内側壁の適当な高度の位置に下向きに傾斜した状態で固定され、第１の隔板とは離れて設置され、お互いの高度は異なっていることを特徴とする商品販売機である。
【００１１】
請求項２の考案は、回転盤の上方に第３の隔板が設けられ、第３の隔板は略直角三角形を呈しており、下向きに傾斜した状態で回転盤の上方の槽体上縁に設けられ、第３の隔板は回転盤の一部分を覆っており、少なくとも槽体底部に設けられた商品落下口上方を覆っていることを特徴とする請求項１記載の商品販売機である。
【考案の効果】
【００１２】
本考案の第１の隔板および第２の隔板を設置した構造によって、商品収容室内に投入した全ての商品の重量が直接回転盤上に加わらないので、回転盤を回転させるモーターの負荷は軽減され、モーターが過熱して破損するのを避けられるだけでなく、回転盤の運転をよりスムーズにでき、商品をよりスムーズに排出できる。また、電気回路によって動力部品の起動を適時制御し、連動部品を介して第１の隔板を上下に揺動させることによって、商品収容室内の商品をかき回すことができ、それによって商品収容室内の商品はお互いに押え付け合うことなく、商品収容室内の商品をスムーズに回転盤上方に落下させることができ、続いて回転盤の商品収容孔内に落下させ、商品をスムーズに排出する。
【考案を実施するための最良の形態】
【００１３】
本考案の目的を達成する技術および構造特徴を示す実施形態を図３、４、５に沿って詳細に説明する。
【００１４】
図３に示すように、本実施形態による販売機は、本体１０内に槽体２０が設けられ、槽体２０内に回転盤３０が設けられて構成されている。
【００１５】
図３，５に示すように、本体１０は、下方に商品取出口１１が設けられ、本体１０上方には商品収容室１２が形成されており、商品収容室１２の上方には蓋体１３が設けられている。
【００１６】
図３、５に示すように、槽体２０は、本体１０の商品収容室１２下方に設けられ、槽体底部には商品落下口２１が設けられ、商品落下口２１の下方には商品落下通路２２が接続され、商品落下通路２２の他端は本体１０の商品取出口１１と接続されている。
【００１７】
図３、５に示すように、回転盤３０は、槽体２０内に設けられ、回転盤３０の中央には凸部３１が形成され、凸部３１上端には数本の弾力性の回転ロッド３２が設けられ、回転盤３０上にはさらに商品が落下する商品収容孔３３が数個設けられ、回転盤３０はモーター３４によって駆動されて槽体２０内で回転する。
【００１８】
上述の構造によって、本実施形態による販売機は従来技術による販売機と同様に、販売する商品は蓋体１３を開けて商品収容室１２内に投入されて販売される。消費者がコインを投入して商品を購入するとき、回転盤３０がモーター３４によって駆動されて槽体２０内で回転し、回転盤３０上に設けられた回転ロッド３２も同時に回転する。それによって動かされた商品は回転盤３０の商品収容孔３３内に落下し、商品収容孔３３内に落下した商品４０は回転盤３０に動かされて移動し、槽体２０底面に設けられた商品落下口２１から落下し、商品落下通路２２を通って商品取出口１１まで滑り落ちる。そして消費者は商品取出口１１から購入した商品を手にすることができる。
【００１９】
以上の構造は上述の従来技術による販売機の構造と概ね差異はなく、本考案の目的を達成するために運用した技術および構造特徴を示すものではない。
【００２０】
本考案の目的を達成するために運用した技術および構造上の特徴を下記に示す。
【００２１】
図３に示すように、本体１０の商品収容室内１２には少なくとも第１の隔板５０と第２の隔板６０とが設けられている。
【００２２】
図４に示すように、第１の隔板５０は、可動軸によって商品収容室１２の一方の内側壁の適当な高さの位置に設けられ、第１の隔板５０は連動部品８０（図中では連動ロッド）を介して動力部品９０（図中ではモーター）によって駆動されて上下に揺動する。
【００２３】
図４に示すように、第２の隔板６０は、商品収容室１２の他方の内側壁の適当な高さ位置に下向きに傾斜した状態で固定され、第１の隔板５０とは離れて設置され、お互いの高さは異なっている。
【００２４】
図５に示すように、本実施形態は、第１の隔板５０および第２の隔板６０を設置した構造によって、商品収容室１２内に投入した全ての商品の重量が直接回転盤３０上に加わらないので、回転盤３０を回転させるモーター３４の負荷は軽減され、モーター３４が過熱して破損するのを避けられるだけでなく、回転盤３０の運転をよりスムーズにでき、商品をよりスムーズに排出できる。また、電気回路によって動力部品９０の起動を適時制御し、連動部品８０を介して第１の隔板５０を上下に揺動させることによって、商品収容室１２内の商品をかき回すことができ、商品収容室１２内の商品はお互いに押え付け合うことなく、商品収容室１２内の商品をスムーズに回転盤３０上方に落下させることができ、続いて回転盤３０の商品収容孔３３内に落下させ、商品をスムーズに排出する。
【００２５】
図３、４、５に示すように、回転盤３０の上方に第３の隔板７０を設けることができ、第３の隔板７０は略直角三角形を呈しており、下向きに傾斜した状態で回転盤３０の上方の槽体２０上縁に設けられ、第３の隔板７０は回転盤３０の一部分を覆っており、少なくとも槽体２０底部に設けられた商品落下口２１上方を覆っている。
【００２６】
第３の隔板７０の設置によって、全ての商品の重量が直接回転盤３０上に加わるのを回避し、回転盤３０を回転させるモーター３４の負荷を軽減できるだけでなく、第３の隔板７０によって、商品は整列して回転盤３０上に設けられた商品収容孔３３内に落下するので、商品をよりスムーズに排出させることができる。
【００２７】
上述の詳細な説明から分かるように、本考案において運用された技術および構造によって確実に本考案の目的を達成でき、商品をよりスムーズに排出する販売機の構造を提供できる。本考案による販売機は従来技術による販売機と比較して確実に進歩性と実用性を有し、その構造は新規性を有するものである。
【００２８】
以上の説明は、本考案の一実施形態を示しただけのものであり、本考案の目的を達成するために運用した技術および構造を説明したものであり、本考案の保護範囲を限定するものではなく、本考案と同等効果の変更や修飾もすべて本考案の保護範囲に含まれる。
【図面の簡単な説明】
【００２９】
【図１】従来技術による商品販売機を示す斜視図である。
【図２】従来技術による商品販売機の作動状況を示す側面断面図である。
【図３】本考案による商品販売機を示す斜視図である。
【図４】本考案による商品販売機を示す側面断面図である。
【図５】本考案による商品販売機の作動状況を示す側面断面図である。
【符号の説明】
【００３０】
１０    本体
１１    商品取出口
１２    商品収容室
１３    蓋部
２０    槽体
２１    商品落下口
２２    商品落下通路
３０    回転盤
３１    凸部
３２    回転ロッド
３３    商品収容孔
３４    モーター
５０    第１の隔板
６０    第２の隔板
７０    第３の隔板
８０    連動部品
９０    動力部品
【図１】
0003114722.tif 000003
【図２】
0003114722.tif 000004
【図３】
0003114722.tif 000005
【図４】
0003114722.tif 000006
【図５】
0003114722.tif 000007